(57)【特許請求の範囲】
【請求項１】
冷却室を有する冷却庫本体と、
前記冷却庫本体の開口部に対して開閉可能に設けられたドアと、
前記ドアの閉止状態で前記ドアの前記冷却室側に設けられ、前記冷却室側に突出する突出部を前記開口部の内周側に有する背面部材と、
前記ドアの周縁部に設けられ、前記冷却庫本体における前記開口部の外周側に位置する部分に前記冷却庫本体の前後方向で当接する第１パッキンと、
前記第１パッキンの内周側にて前記背面部材に係合させて設けられる第２パッキンとを備え、
前記第２パッキンは、前記背面部材の前記突出部の先端に係合する係合部分と、前記係合部分よりも外周側で前記第１パッキンの内周側に設けられ、前記冷却庫本体における前記開口部の外周側に位置する部分に前記冷却庫本体の前後方向で当接する第１部分と、前記第１部分および前記係合部分よりも内周側に第２部分とを含み、
前記第２部分の内周側と前記背面部材との接触によって、前記第２部分と前記突出部との間に生じる隙間部分に前記冷却室内の冷気が流れ込むことが抑制され、
前記冷却庫本体における前記第１部分と前後方向で当接する部分を、前記第１パッキンと前後方向で当接する部分よりも前記冷却室の背面側に後退させたことを特徴とする、冷却庫。
【請求項２】
前記第２パッキンが係合する部分にて前記背面部材を内側と外側とに分断するスリット部が前記背面部材の周方向に沿って設けられている、請求項１に記載の冷却庫。
【請求項３】
前記スリット部を設けた部分に前記背面部材よりも熱伝導率の低いシール部材が設けられている、請求項２に記載の冷却庫。
【請求項４】
前記第２パッキンの第２部分は、前記冷却室に直面するように設けられる、請求項１から請求項３のいずれかに記載の冷却庫。
【発明の詳細な説明】
【技術分野】
【０００１】
本発明は、冷却庫に関し、特に、冷却室の冷気が庫外に漏れることを抑制するパッキンを有する冷却庫に関する。
【背景技術】
【０００２】
冷却庫本体とドアとの間に設けられ、冷却室の冷気が庫外に漏れることを抑制するパッキンが従来から知られている。
【０００３】
たとえば、特開平１０−１６０３３１号公報（特許文献１）においては、扉本体と、扉の冷却室側の周縁部に設けられ、冷却室の冷気が外部に漏れることを抑制するガスケットと、冷却室の冷気が上記ガスケットに流れ込むことを抑制する流れ込み抑制部を有するパッキンとを備えた冷蔵庫の扉が開示されている。上記パッキンは、扉本体に係合することにより固定される。
【特許文献１】特開平１０−１６０３３１号公報
【発明の開示】
【発明が解決しようとする課題】
【０００４】
特許文献１に記載のパッキンは、扉の背面部材に係合して設けられるものであるため、背面部材自体を冷気が伝うことを抑制することはできない。扉の背面部材を伝うことにより、冷却室内の冷気が庫外に漏れ出しやすくなる。
【０００５】
本発明は、上記のような問題に鑑みてなされたものであり、本発明の目的は、冷気の漏れが抑制された冷却庫を提供することにある。
【課題を解決するための手段】
【０００６】
本発明に係る冷却庫は、冷却室を有する冷却庫本体と、冷却庫本体の開口部に対して開閉可能に設けられたドアと、ドアの閉止状態でドアの冷却室側に設けられ、冷却室側に突出する突出部を開口部の内周側に有する背面部材と、ドアの周縁部に設けられ、冷却庫本体における開口部の外周側に位置する部分に冷却庫本体の前後方向で当接する第１パッキンと、該第１パッキンの内周側にて背面部材に係合させて設けられる第２パッキンとを備える。第２パッキンは、背面部材の突出部の先端に係合する係合部分と、係合部分よりも外周側で第１パッキンの内周側に設けられ、冷却庫本体における開口部の外周側に位置する部分に冷却庫本体の前後方向で当接する第１部分と、第１部分および係合部分よりも内周側に第２部分とを含み、第２部分の内周側と背面部材との接触によって、第２部分と突出部との間に生じる隙間部分に冷却室内の冷気が流れ込むことが抑制され、冷却庫本体における第１部分と前後方向で当接する部分を、第１パッキンと前後方向で当接する部分よりも冷却室の背面側に後退させたことを特徴とする。好ましくは、第２パッキンが係合する部分にて背面部材を内側と外側に分断するスリット部が背面部材の周方向に沿って設けられている。
【０００７】
上記構成によれば、第２パッキンにおける背面部材に係合する部分と背面部材との隙間に冷却室内の冷気が流れ込むことを抑制することができる。また、スリット部によって背面部材が内側と外側とに分断されるので、背面部材を伝って冷気が漏れることを抑制することができる。したがって、冷却室内の冷気が庫外に漏れることを抑制することができる。
【０００８】
上記冷却庫において、好ましくは、スリット部を設けた部分に背面部材よりも熱伝導率の低いシール部材が設けられている。
【０００９】
これにより、冷却室内の冷気が庫外に漏れることを抑制するとともに、ドア内に発泡断熱材を設ける際に該発泡体がスリット部から漏れ出すことを抑制することができる。
上記冷却庫において、好ましくは、第２パッキンの第２部分は、冷却室に直面するように設けられる。
【発明の効果】
【００１０】
本発明によれば、冷却室内の冷気が庫外に漏れることを抑制することができる。
【発明を実施するための最良の形態】
【００１１】
以下に、本発明に基づく冷却庫の実施の形態について説明する。なお、同一または相当する部分に同一の参照符号を付し、その説明を繰返さない場合がある。
【００１２】
本願明細書において、「冷却庫」とは、「冷蔵庫」、「冷凍庫」および「冷凍冷蔵庫」のすべてを含む概念である。
【００１３】
図１は、本発明の１つの実施の形態に係る冷却庫を示した図である。図１を参照して、本実施の形態に係る冷却庫１は、冷却庫本体１００と、ドア２００とを有する。ドア２００は、冷却庫本体１００の開口部に対して開閉可能に設けられる。冷却庫本体１００とドア２００との間には、冷却室１５０が形成される。
【００１４】
ドア２００は、樹脂やステンレスなどの金属からなり冷却庫の前面側に位置する前面部材２１０と、樹脂などからなり冷却室側に位置する背面部材２２０とを有する。前面部材２１０と背面部材２２０との間には、発泡ウレタンなどからなる断熱材２３０が設けられている。
【００１５】
図２は、図１に示す冷却庫のドアを矢印ＤＲ１方向からみた図である。図２を参照して、ドア２００の背面側には、冷却室の冷気が庫外に漏れることを抑制するためのパッキン３００が設けられている。パッキン３００は、第１パッキン３１０と、第２パッキン３２０とを含む。第２パッキン３２０は、第１パッキン３１０の内周側に設けられる。そして、第２パッキン３２０は、ポリプロピレンやスチロールなどからなる硬質部分３２１と、エラストマや塩化ビニルなどからなる軟質部分３２２とを有する。そして、軟質部分３２２は、硬質部分３２１に対してドア２００の外周側に位置する第１部分３２２Ａと、硬質部分３２１に対してドア２００の内周側に位置する第２部分３２２Ｂとを含む。
【００１６】
なお、図２に示す例では、第２パッキン３２０の４辺がそれぞれ別々に設けられ、コーナ部には若干の隙間が形成されているが、たとえばコーナ部において軟質部分３２２を溶着して第２パッキン３２０を枠形にしてから該第２パッキン３２０を背面部材２２０に組付けてもよい。また、図２に示す方向から見たときに、第１パッキン３１０の一部と第２パッキン３２０の一部とがオーバーラップするように設けられる場合もある。
【００１７】
図３は、図２におけるＩＩＩ−ＩＩＩ断面を拡大して示した図である。図３を参照して、背面部材２２０に突出部２２１が形成され、該突出部２２１に背面部材２２０を内側と外側とに分断するスリット部２２２が形成されている。また、スリット部２２２を塞ぐように断熱材２３１が設けられている。断熱材２３１は、前面部材２１０と背面部材２２０との間で樹脂を発泡させて断熱材２３０を形成する際に発泡した樹脂がスリット部２２２から漏れ出すことを抑制する「シール部材」として機能する。なお、断熱材２３０，２３１の熱伝導率は、背面部材２２０の熱伝導率よりも低い。また、第２パッキン３２０の硬質部分３２１と背面部材２２０の突出部２２１とを係合させることで、第２パッキン３２０がドア２００に取付けられる。すなわち、第２パッキン３２０はスリット部２２２を覆うように設けられる。
【００１８】
上記のように、背面部材２２０にスリット部２２２を設けることにより、冷却庫内の冷気が背面部材２２０を伝って庫外に漏れることが抑制される。また、上記のように、スリット部２２２上に第２パッキン３２０を設けることにより、ドア２００を開けた時にもスリット部２２２が見えないようにすることができる。
【００１９】
第２パッキン３２０の軟質部分３２２における第１部分３２２Ａは、該第２パッキン３２０の硬質部分３２１に取付けられる。そして、第１部分３２２Ａは、硬質部分３２１と冷却庫本体１００との間をシールする。
【００２０】
第２パッキン３２０の軟質部分３２２における第２部分３２２Ｂは、該第２パッキン３２０の硬質部分３２１に取付けられる。そして、第２部分３２２Ｂは、硬質部分３２１と背面部材２２０との隙間に冷却室内の冷気が流れ込むことを抑制する。また、図３に示すような第２部分３２２Ｂが設けられることにより、背面部材２２０の突出部２２１近傍の凹凸を隠すことができる。したがって、突出部２２１の設置によって冷却庫１の外観が損なわれることを抑制することができる。
【００２１】
図４は、背面部材２２０における突出部２２１に形成されるスリット部２２２の形状の一例を示した図である。図４に示す例では、スリット部２２２は、突出部２２１のほぼ全周にわたって設けられている。スリット部２２２により内側と外側とに分断された背面部材２２０は、突出部２２１のコーナ部（４箇所）で接続されている。
【００２２】
図５は、背面部材２２０における突出部２２１に形成されるスリット部２２２の形状の他の例を示した図である。図５に示す例では、背面部材２２０の周方向に並ぶ複数の長孔によりスリット部２２２が構成されている。このようなスリット部２２２によっても冷却庫内の冷気が背面部材２２０を伝って庫外に漏れることを抑制することができる。
【００２３】
上述した内容について要約すると、以下のようになる。すなわち、本実施の形態に係る冷却庫１は、冷却室を有する冷却庫本体１００と、冷却庫本体１００の開口部に対して開閉可能に設けられたドア２００と、ドア２００の冷却室側に設けられた背面部材２２０と、ドアの周縁部に設けられる第１パッキン３１０と、該第１パッキン３１０の内周側にて背面部材２２０に係合させて設けられる第２パッキン３２０とを備え、第２パッキン３２０が係合する部分にて背面部材２２０を内側と外側とに分断するスリット部２２２が背面部材２２０の周方向に沿って設けられている。
【００２４】
上記構成によれば、スリット部２２２によって背面部材２２０が分断されるので、背面部材２２０を伝って冷気が漏れることを抑制することができる。したがって、冷却室内の冷気が庫外に漏れることを抑制することができる。また、第２パッキン３２０が係合する部分にスリット部２２２を設けることで、該スリット部２２２を第２パッキン３２０により隠すことができるので、ドア２００の背面の外観が損なわれることが抑制される。
【００２５】
上記冷却庫１において、好ましくは、スリット部２２２を設けた部分に背面部材２２０よりも熱伝導率の低い「シール部材」としての断熱材２３１が設けられている。
【００２６】
これにより、冷却室内の冷気が庫外に漏れることを抑制するとともに、発泡体である断熱材２３０を設ける際に該発泡体がスリット部２２２から漏れ出すことを抑制することができる。
【００２７】
なお、断熱材２３１の設置を省略することも可能である。この場合には、たとえばテープなどによりスリット部２２２を塞いだ状態で断熱材２３１を発泡させる。
【００２８】
上述したパッキン３００は、典型的には、冷却庫の冷凍室において用いられる。たとえば、スターリング冷凍機を用いたスターリング冷却庫では冷凍室の温度が特に低くなるため、冷気の漏れを抑制することは特に重要である。ただし、パッキン３００は、コンプレッサ型の冷却庫において用いられてもよい。また、パッキン３００は、冷蔵室において用いられてもよい。
【００２９】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００３０】
【図１】本発明の１つの実施の形態に係る冷却庫を示した図である。
【図２】図１に示す冷却庫のドアを矢印ＤＲ１方向からみた図である。
【図３】図２におけるＩＩＩ−ＩＩＩ断面を拡大して示した図である。
【図４】ドアの背面部材に形成されるスリット部の形状の一例を示した図である。
【図５】ドアの背面部材に形成されるスリット部の形状の他の例を示した図である。
【符号の説明】
【００３１】
１  冷却庫、１００  冷却庫本体、１５０  冷却室、２００  ドア、２１０  前面部材、２２０  背面部材、２２１  突出部、２２２  スリット部、２３０，２３１  断熱材、３００  パッキン、３１０  第１パッキン、３２０  第２パッキン、３２１  硬質部分、３２２  軟質部分、３２２Ａ  第１部分、３２２Ｂ  第２部分。
【図１】
0004707490.tif 000002
【図２】
0004707490.tif 000003
【図３】
0004707490.tif 000004
【図４】
0004707490.tif 000005
【図５】
0004707490.tif 000006